(57)【要約】【課題】印刷のたびにネットワーク上のプリンタを検索したり、印刷の前にプリンタ名等を入力させなければないことのないようにする。【解決手段】プリンタ情報制御部１２３は、検索で見つかったプリンタについて、ＵＩ制御部１２２にこのプリンタ情報を出力し、ＵＩ制御部１２２は一覧を表示する。「コメント」欄には、プリンタ３が管理するプリンタ情報には無い項目で、取得したプリンタ情報に対してユーザが任意に付加できる情報である。このような手順を経て「登録」ボタンを押下することで、プリンタ３から取得したプリンタ情報に、ユーザが選択したことを表す旨の情報が追加される。ＵＩ制御部１２２は、かかる処理がされたことをプリンタ情報制御部１２３に通知し、プリンタ情報制御部１２３はこのプリンタ情報をプリンタ情報格納部１３０に格納して次の処理に進む。【選択図】図５
2007265392.tif 000002
【特許請求の範囲】
【請求項１】
ネットワークに接続される少なくとも１つの印刷装置の情報を用いた印刷処理を行う情報処理装置であって、
所定のデータの印刷指示に応じ、前記情報処理装置の所定の格納手段から各印刷装置に関する印刷装置情報を取得する取得手段と、
該取得手段で取得された前記印刷装置情報を、前記所定のデータの印刷先として指定可能となるよう、前記ネットワークに接続される各印刷装置の現在の状態とともに表示制御する表示制御手段とを備えたことを特徴とする情報処理装置。
【請求項２】
前記取得手段は、前記印刷装置情報が前記所定の格納手段にあった場合には、前記所定の格納手段から前記印刷装置情報を取得し、前記各印刷装置からは該各印刷装置の現在の状態を取得することを特徴とする請求項１記載の情報処理装置。
【請求項３】
前記取得手段は、前記印刷装置情報が前記所定の格納手段に無かった場合には、前記ネットワークに接続される印刷装置の印刷装置情報を取得し、前記所定の格納手段に格納することを特徴とする請求項１または２に記載の情報処理装置。
【請求項４】
前記表示制御手段は、前記印刷装置情報と前記各印刷装置の現在の状態とを一覧表示するよう制御することを特徴とする請求項１乃至３いずれか一に記載の情報処理装置。
【請求項５】
ネットワークに接続される印刷装置の情報を用いた印刷処理をコンピュータに実行させるプログラムであって、前記プログラムは、
所定のデータの印刷指示に応じ、前記コンピュータの所定の格納手段から各印刷装置に関する印刷装置情報を取得させる取得工程と、
該取得工程で取得された前記印刷装置情報を、前記所定のデータの印刷先として指定可能となるよう、前記ネットワークに接続される各印刷装置の現在の状態とともに表示制御する表示制御工程とを実行させることを特徴とするプログラム。
【請求項６】
前記取得工程は、前記印刷装置情報が前記所定の格納手段にあった場合には、前記コンピュータに、前記所定の格納手段からの前記印刷装置情報の取得と、前記各印刷装置から該各印刷装置の現在の状態の取得を実行させることを特徴とする請求項５記載のプログラム。
【請求項７】
前記取得工程は、前記印刷装置情報が前記所定の格納手段に無かった場合には、前記コンピュータに、前記ネットワークに接続される印刷装置から印刷装置情報を取得させ、前記所定の格納手段に格納させることを特徴とする請求項６に記載のプログラム。
【請求項８】
前記表示制御工程は、前記印刷装置情報と前記各印刷装置の現在の状態とを一覧表示するよう制御することを特徴とする請求項５乃至７いずれか一に記載のプログラム。
【請求項９】
請求項５乃至８いずれか一に記載のプログラムを記憶した記憶媒体。
【発明の詳細な説明】
【技術分野】
【０００１】
本発明は、ネットワークに接続される印刷装置の情報を用いた印刷処理をする技術に関するものである。
【背景技術】
【０００２】
近年のモバイル化の普及により、ノートブック型コンピュータ、ＰＤＡ等に代表される各種情報端末等を外出先で使い、外出先のプリンタで印刷をするということも一般化してきている。
【０００３】
このようなモバイル環境下の印刷に関する技術として、例えば以下のような提案がされている。
【特許文献１】特開２００３−９９２１４号公報
【特許文献２】特開２００３−９９２３１号公報
【特許文献３】特開２００２−３５１７９０号公報
【発明の開示】
【発明が解決しようとする課題】
【０００４】
しかしこうした技術では、印刷のたびにネットワーク上のプリンタを検索したり、印刷の前にプリンタ名等を入力させなければないという問題がある。そのためユーザは、たとえ外出先でもよく使うようなプリンタがある場合でも、ネットワーク検索の結果を待たなければならないという煩わしさを強いられていた。また、コンピュータの処理としても無駄な通信を発生させることになっていた。
【０００５】
本発明はこのような点を解決することを目的とするものである。
【課題を解決するための手段】
【０００６】
かかる目的を達成するために、例えば本発明は以下の構成を備える。即ち、ネットワークに接続される少なくとも１つの印刷装置の情報を用いた印刷処理を行う情報処理装置であって、所定のデータの印刷指示に応じ、前記情報処理装置の所定の格納手段から各印刷装置に関する印刷装置情報を取得する取得手段と、該取得手段で取得された前記印刷装置情報を、前記所定のデータの印刷先として指定可能となるよう、前記ネットワークに接続される各印刷装置の現在の状態とともに表示制御する表示制御手段とを備える。
【０００７】
本発明の情報処理装置は、所定の格納手段から各印刷装置に関する情報である印刷装置情報を取得し、取得された印刷装置情報を、所定のデータの印刷先として指定可能となるよう、ネットワークに接続される各印刷装置の現在の状態とともに表示制御する。したがって、印刷のたびに印刷装置の情報をネットワーク上から検索せずとも所望の印刷装置を指定することができ、このとき現在の各印刷装置の状態も表示させることができる。
【０００８】
また本発明のプログラムは、ネットワークに接続される印刷装置の情報を用いた印刷処理をコンピュータに実行させるプログラムであって、前記プログラムは、所定のデータの印刷指示に応じ、前記コンピュータの所定の格納手段から各印刷装置に関する印刷装置情報を取得させる取得工程と、該取得工程で取得された前記印刷装置情報を、前記所定のデータの印刷先として指定可能となるよう、前記ネットワークに接続される各印刷装置の現在の状態とともに表示制御する表示制御工程とを実行させる。
【０００９】
本発明のプログラムは、コンピュータに、このコンピュータの所定の格納手段から各印刷装置に関する情報である印刷装置情報を取得させ、取得させた印刷装置情報を、所定のデータの印刷先として指定可能となるよう、ネットワークに接続される各印刷装置の現在の状態とともに表示制御する。したがって、印刷のたびに印刷装置の情報をネットワーク上から検索せずとも所望の印刷装置を指定することができ、このとき現在の各印刷装置の状態も表示させることができる。
【００１０】
本発明の格納手段としては、コンピュータに内蔵されるＨＤＤやメモリ等の記憶装置が含まれ、印刷装置情報には、印刷装置のＩＰアドレス、フィニッシング機能等のオプション構成、実行可能な印刷条件等、印刷装置を特定可能な情報が含まれ、印刷装置の現在の状態としては、電源の投入状況、用紙やトナー等の消耗材の状況、待機状況等が含まれる。また所定の格納手段としては、コンピュータに現在装着されているＵＳＢメモリやＳＤカード等といった、着脱可能な各種記憶媒体を用いるようにしてもよい。さらに印刷装置情報には、利用者が任意に追記可能なコメントを付加できるようにしてもよい。
【発明の効果】
【００１１】
本発明によれば、所定の格納手段に格納された印刷装置情報を利用することで、印刷装置の指定の利便性を向上させることができる。
【発明を実施するための最良の形態】
【００１２】
次に、本発明の実施形態について、図面を交えて説明する。
【００１３】
図１は、本発明の情報処理装置を、この情報処理装置の一実施形態である携帯型端末装置に適用したときの印刷システムである。この印刷システムでは、ノートブック型コンピュータやＰＤＡ等の携帯型端末装置１と、レーザプリンタ、デジタル複合機およびインクジェットプリンタ等の印刷装置の一例としてのプリンタ３（３ａ，３ｂ，３ｃ，・・・）とが、ネットワーク２を介して接続されている。
【００１４】
なお特に断らない限り、ネットワーク２の種別は有線無線の種別を問わず、携帯型端末装置１についても、ノートブック型コンピュータやＰＤＡ等に限られるものではない。
【００１５】
図２は、携帯型端末装置１のハードウェア構成の例を表したものである。図中、携帯型端末装置１には、装置全体の処理を制御するＣＰＵ１１と、各種プログラム等が記憶された記憶部１２と、キーボードやマウス等の入力部１３と、後述する各機能により処理される情報が表示される、ＣＲＴディスプレイや液晶ディスプレイ等の表示部１４と、プリンタ３との通信を司るネットワークインタフェース部１５とを有している。
【００１６】
図３は図１における携帯型端末装置１のソフトウェア構成を表したソフトウェア構成図であり、非図示のＯＳ上で稼働する文書処理プログラム１１０、プリンタ３が解釈可能な印刷データを生成するプリンタドライバ１２０、プリンタ情報格納部１３０、プリンタ３との通信を行う通信制御部１４０とを有している。
【００１７】
文書処理プログラム１１０は、例えばワープロソフトや表計算ソフト、文書管理ソフト等、各種の業務アプリケーションであるが、携帯型端末装置１のユーザがプリンタ３に印刷指示を出せるようになっているものであれば特にその種別は問わない。
【００１８】
プリンタ情報格納部１３０は、通信制御部１４０を介してプリンタ３から取得したプリンタ情報を格納している。プリンタ情報格納部１３０は、携帯型端末装置に内蔵されるメモリやＨＤＤ等記憶装置の記憶領域を利用して構築されるが、これらの記憶装置は、携帯型端末装置１に内蔵される記憶装置に限らず、携帯型端末装置１の外部メディアとのインターフェースを介して接続されるＵＳＢメモリやＳＤカード等の各種リムーバブルメディアであってもよい。またプリンタから取得するプリンタ情報は、携帯型端末装置１が扱える形式であればどのような形式でもよいが、後述する例にもあるように、情報を追加できる形式であることが好ましい。
【００１９】
プリンタドライバ１２０には、プリンタ情報制御部１２３、ＵＩ制御部１２２、描画部１２１が設けられている。プリンタ情報制御部１２３は、プリンタ情報格納部１３０へのプリンタ情報の格納や、ユーザからの印刷指示に応じてプリンタ情報格納部１３０からプリンタ情報を検出し、検出したプリンタ情報に記述された各プリンタ３ａ、３ｂ等の現在の状態を通信制御部１４０に取得させる機能や、検出したプリンタ情報の内容や各プリンタの現在の状態の情報をＵＩ制御部１２２に出力する機能等を有している。またＵＩ制御部１２２は、携帯型端末装置１のユーザに対して印刷設定画面やプリンタ情報の内容を表示部１４にＧＵＩ（Graphical User Interface）で表示するよう制御する。さらに描画部１２１は、このＵＩ制御部１２２で表示された内容からユーザが出した印刷指示に基づき、プリンタ３が解釈可能な形式の印刷データを生成する機能を有している。
【００２０】
通信制御部１４０はプリンタドライバ１２０からの印刷データを指定されたプリンタに送信する機能と、プリンタ情報制御部１２３からの命令によりプリンタ３の現在の状態を取得する機能を有している。
【００２１】
プリンタ３は、携帯型端末装置１の通信制御部１４０からの要求に対して、プリンタ情報や、現在の状態を応答として送信する。このプリンタ情報や現在の状態等の各種情報は、例えば非図示のＭＩＢ（Management Information Base）等で管理されている。プリンタ情報としては各プリンタのＩＰアドレス、ステープルやパンチ処理等のフィニッシング機能を含む各種オプション構成、その他実行可能な各種印刷条件等、このプリンタ３を特定可能な情報が保有されている。プリンタ３と携帯型端末装置との通信でのプロトコルとしては、プリンタ３からプリンタ情報や現在の状態等の要求が出せるものであれば特にその種類は問わない。
【００２２】
次に、このような印刷システムの動作について説明する。図４は携帯型端末装置１での印刷処理の流れを表したフローチャートである。まず携帯型端末装置１のユーザは、文書処理プログラム１１０を用いて所定のデータを作成し（ステップＳ４０１）、そのデータを印刷する場合、文書処理プログラム１１０から印刷指示を行う。文書処理プログラム１１０は、印刷指示に基づきプリンタドライバ１２０を呼び出し、呼び出されたプリンタドライバ１２０は、プリンタ情報制御部１２３やＵＩ制御部１２２等により、プリンタを指定するためのダイアログを表示させるための処理を行う（ステップＳ４０２）。
【００２３】
図５はそのダイアログ表示を行うときに行われる処理を表したフローチャートである。プリンタ情報制御部１２３は、プリンタ３から取得したプリンタ情報があるかをプリンタ情報格納部１３０を参照することで取得する。その結果、プリンタ情報格納部１３０にプリンタ情報がある場合（ステップＳ５０１−Ｙｅｓ）には、プリンタ情報格納部１３０のプリンタ情報で特定される各プリンタに対して、現在の状態を問い合わせるべくステップＳ７０１に移行する。
【００２４】
一方、プリンタ情報格納部１３０にプリンタ情報が無い場合（ステップＳ５０１−Ｎｏ）、そのままでは文書処理プログラム１１０で作成されたデータをプリンタに送信することができない状態であるため、プリンタ情報制御部１２３は、通信制御部１４０に対して、ネットワーク２上のプリンタを検索するよう指示を出す（ステップＳ５０２）。通信制御部１４０はこの指示に基づき、ネットワーク２上のプリンタを検索し、その結果をプリンタ情報制御部１２３に返す。このプリンタ検索の方法としては、例えばブロードキャストやＰｉｎｇ等を用いて行えばよい。プリンタ情報制御部１２３は、検索で見つかったプリンタについて、ＵＩ制御部１２２にこのプリンタ情報を出力し、ＵＩ制御部１２２は図４に示すような一覧を表示する（ステップＳ５０３）。
【００２５】
図６は、プリンタ情報の例として、プリンタ３のそれぞれのネットワーク上のアドレスの情報を示す「接続先」欄や、それぞれのプリンタの実行できる機能やオプション構成に関する「機器情報」欄と「コメント」欄が一覧で表示している。例えば、「接続先」欄が001.002.003.004のプリンタは両面印刷が可能であり、003.004.005.006のプリンタは両面印刷とステープル処理が可能であることが分かる。
【００２６】
またこの図６において、「接続先」欄の左に「レ」が付記されているプリンタは、ユーザが所定のデータを印刷するときに複数選択できる選択肢として事前に選ばれたということを表している。つまりＵＩ制御部１２２は、ユーザによる所望のプリンタの事前選択を受け付ける（ステップＳ５０４）。この例では「接続先」が001.002.003.004のプリンタ、002.003.004.005のプリンタ等が、事前に選ばれたプリンタに該当する。
【００２７】
「コメント」欄には、プリンタ３が管理するプリンタ情報には無い項目で、取得したプリンタ情報に対してユーザが任意に付加できる情報である。例えば001.002.003.004のプリンタが、ユーザのいるオフィスの入り口近くにある場合、そのユーザがこのプリンタを独自に認識できるような任意の名前を付けたい場合にはニックネーム等をつけることができ、プリンタの用語に不慣れなユーザも、どのプリンタであるかを認識できるようになる。この「コメント」欄への設定は、後述する図６での設定や、予めこの一覧の中に直接テキスト入力を行う等により行うようにすればよい（ステップＳ５０５）。
【００２８】
このような手順を経て「登録」ボタンを押下することで（ステップＳ５０６）、プリンタ３から取得したプリンタ情報に、ユーザが選択したことを表す旨の情報が追加される（ステップＳ５０７）。なお「コメント欄」へのコメント入力がされていれば、その内容もプリンタ情報に追加される。そしてＵＩ制御部１２２は、かかる処理がされたことをプリンタ情報制御部１２３に通知し、プリンタ情報制御部１２３はこのプリンタ情報をプリンタ情報格納部１３０に格納して図７のステップＳ７０１に進む。なおプリンタ情報格納部１３０への格納時点としてはこのときでなくともよく、印刷終了するまでの中で行われればよい。
【００２９】
ところで、図６の一覧でプリンタ情報として表示できる項目は上記に限られず、例えばプリンタの機種名や製造メーカ名等をプリンタ情報として表示してもよい。また、「コメント」としての例としては、いずれもニックネームという項目としているが、上述のようにユーザ自身がプリンタを認識できるものであればニックネームに限られない。さらに、「コメント」は任意の項目であるため、この入力がされなくともよい。
【００３０】
図７は、プリンタ３の現在の状態を問い合わせて取得するまでの処理を表したフローチャートである。ステップＳ７０１では、プリンタ情報制御部１２３は通信制御部１４０に、各プリンタの現在の状態を問い合わせる。各プリンタの現在の状態を問い合わせるプロトコルとしては例えばＳＮＭＰ（Simple Network Management Protocol）やＷｅｂ Ｓｅｒｖｉｃｅ等により行う。
【００３１】
各プリンタと通信を行い、通信エラーが無かった場合（ステップＳ７０２−Ｎｏ）、即ちプリンタの状態を取得できた場合にはプリンタ情報にその状態を追加する（ステップＳ７０３）。この状態としては例えば、「省エネモード待機中」や「用紙無し」等の情報がある。
【００３２】
一方、通信エラーがあった場合（ステップＳ７０２−Ｙｅｓ）、即ち、上記のような「省エネモード待機中」や「用紙無し」等の、現在の状態が得られなかった場合には、「応答無し」や「エラー」といった情報を追加する（ステップＳ７０４）。なお、各プリンタとの通信の結果に応じて、状態を追加する欄を空欄にしたり、強調表示する等のように、通信の結果を区別した表示を行うようにしてもよい。
【００３３】
通信制御部１４０はこうした問い合わせをプリンタ情報に記述されている各プリンタに対して行い、まだ現在の状態を問い合わせていないプリンタがあれば、問い合わせをしていないプリンタがなくなるまで上記の問い合わせ処理を行う（ステップＳ７０５−Ｙｅｓ）。その一方、問い合わせをしていないプリンタが無い場合（ステップＳ７０５−Ｎｏ）には、通信制御部１４０は全てのプリンタに対しての問い合わせが完了したことをプリンタ情報制御部１２３に通知し、これを受けたプリンタ情報制御部１２３は、ＵＩ制御部１２２に対して、各プリンタの状態が追加されたプリンタ情報を表示するよう指示する（ステップＳ７０６）。
【００３４】
さてステップＳ７０６によりプリンタ情報をＵＩ制御部１２２により表示させた後の処理は、図４のフローチャートに戻り、ユーザによる所定のデータの印刷先の選択指示を待つ（ステップＳ４０３）。
【００３５】
図８は、この選択指示待ちにおいて、図６での「接続先」が003.004.005.006のプリンタが選択されたときの画面例である。この画面例には、図６のプリンタ情報の内容が「お気に入りリスト」の中に示されている。そして「印刷先」欄には、「接続先」が003.004.005.006のプリンタが、「付加情報」欄には、選択されたプリンタのニックネームである「ニックネームＥ」が入力されている。画面中の「保存」ボタンは、例えば付加情報として「ニックネームＥ」以外の付加情報にしてプリンタ情報を更新したいとき等に用いる。
【００３６】
「削除」ボタンは、「お気に入りリスト」から所望のプリンタ情報を削除するときに用いるもので、例えばオフィスのプリンタのリプレイス等により、当初指定した接続先アドレスのプリンタが撤去されることで存在しなくなったプリンタについては「お気に入りリスト」から削除することができる。この削除がされた場合には、プリンタ情報格納部１３０のプリンタ情報からも、該当プリンタは削除されることとなる。
【００３７】
なお上述の例では、プリンタ情報はプリンタ情報格納部１３０に格納されていたが、上述したように、プリンタ情報格納部１３０を、携帯型端末装置１の内蔵記憶装置ではなく、ＵＳＢメモリやＳＤカード等のリムーバブルメディアにした場合や、内蔵記憶装置とこれらのリムーバブルメディアとの併用をする場合には、「ファイルへ保存」ボタンを押下することで、ファイル格納先を指定できることもできる。このボタンを設けた画面例が図９である。これにより、プリンタ情報を携帯できるようになり、携帯型端末装置１以外の端末でも利用可能となるので、リムーバブルメディアに格納されたプリンタ情報を論理プリンタとして用いることができるようになる。
【００３８】
さて図８で「印刷」ボタンを押下すると、印刷指示にかかる所定のデータの印刷が実行される。このときプリンタ情報制御部１２３は通信制御部１４０に対して、印刷先プリンタのポートのオープン処理をさせ（ステップＳ４０４）、描画部１２１は所定のデータを、接続先が003.004.005.006のプリンタが解釈可能な印刷データに変換して通信制御部１４０に出力し、通信制御部１４０はそのプリンタに印刷データを送信する（ステップＳ４０５）。そしてそのプリンタから印刷完了の通知を受信した通信制御部１４０は、ポートのクローズ処理を行い（ステップＳ４０６）、一連の印刷が完了する。
【００３９】
このように、本実施形態では、プリンタ情報格納部１３０にプリンタ情報があるときには、予めユーザ自身が印刷先として望むプリンタとして選択したものから印刷先としての指定をすればよく、しかも各プリンタの現在の状態も追加された内容でプリンタの指定ができるようになる。
【００４０】
そして携帯型端末装置１としては、プリンタ情報格納部１３０にプリンタ情報があるときには、印刷指示のたびにネットワーク上からプリンタ検索を行わなくともよくなるので、無駄な通信の発生を抑制することができるようになる。
【００４１】
またプリンタ情報格納部１３０にプリンタ情報が無かったとしても、プリンタ情報制御部１２３が通信制御部１４０を介してプリンタ情報を取得し、そのプリンタ情報からユーザに印刷先としてのプリンタを選択させるようにしてプリンタ情報格納部１３０に格納するため、これ以降の印刷時には、ユーザは指定したプリンタの中から所望のプリンタを選択するという簡易な操作でプリンタ選択を行うことができるようになる。
【００４２】
さらに、リムーバブルメディアにプリンタ情報を格納するようにしたときには、複数ユーザにプリンタ情報を配布できるようにもなり、同一プリンタを利用させるようにすることができる。またリムーバブルメディアへの格納時に、例えばプリンタ情報のデータ形式を圧縮ファイルや暗号化ファイルとさせ、携帯面とセキュリティ面を一層向上させるようにすることもできる。
【００４３】
なお、本実施形態では、プリンタ情報格納部１３０にプリンタ情報が無かったとき、プリンタ情報制御部１２３はステップＳ５０７の後に通信制御部１４０にプリンタの現在の状態を問い合わせているが、例えばネットワーク２上の各プリンタの検索と検索して見つかったプリンタに対しては現在の状態の問い合わせもさせる旨の内容を、ネットワーク２の送出するメッセージ中に記述しておくことで、ステップＳ５０２の時点で現在の状態も取得させるようにしてもよい。
【００４４】
本実施形態は、前述の機能を実現するソフトウェアのプログラムを記憶した記憶媒体を携帯型端末装置１等のコンピュータに供給し、そのコンピュータが記憶媒体に記憶されたプログラムを読み出して実行することによっても達成される。
【００４５】
またこの記憶媒体としては、例えばフレキシブルディスク、ハードディスク、光ディスク、光磁気ディスク、ＣＤ-ＲＯＭ、ＣＤ-Ｒ、ＣＤ-ＲＷ、ＤＶＤ-ＲＯＭ、ＤＶＤ-ＲＡＭ、ＤＶＤ-ＲＷ、ＤＶＤ+ＲＷ、磁気テープ、不揮発性のメモリーカード、ＲＯＭ等を使うことができる。
【図面の簡単な説明】
【００４６】
【図１】本発明の情報処理装置を携帯型端末装置に適用したときの印刷システム構成図である。
【図２】本実施形態の携帯型端末装置のハードウェア構成図である。
【図３】本実施形態の携帯型端末装置のソフトウェア構成図である。
【図４】本実施形態の携帯型端末装置での処理を表すフローチャートである。
【図５】本実施形態の携帯型端末装置での処理を表すフローチャートである。
【図６】本実施形態の携帯型端末装置に表示される画面例である。
【図７】本実施形態の携帯型端末装置での処理を表すフローチャートである。
【図８】本実施形態の携帯型端末装置に表示される画面例である。
【図９】本実施形態の携帯型端末装置に表示される画面例である。
【符号の説明】
【００４７】
１    携帯型端末装置
１１    ＣＰＵ
１２    記憶部
１３    入力部
１４    表示部
１５    ネットワークインタフェース部
１１０    文書処理プログラム
１２０    プリンタドライバ
１２１    描画部
１２２    ＵＩ制御部
１２３    プリンタ情報制御部
１３０    プリンタ情報格納部
１４０    通信制御部
２    ネットワーク
３    プリンタ（印刷装置の一例）
【図１】
2007265392.tif 000003
【図２】
2007265392.tif 000004
【図３】
2007265392.tif 000005
【図４】
2007265392.tif 000006
【図５】
2007265392.tif 000007
【図６】
2007265392.tif 000008
【図７】
2007265392.tif 000009
【図８】
2007265392.tif 000010
【図９】
2007265392.tif 000011